(57)【要約】【課題】  スナック菓子等が入れられる食品容器について、容器の中に手を突っ込んだりする必要がなく、また、手指が汚れて不衛生になっている場合や、パソコン等を操作しており手指に菓子の調味料等を付着させたくない場合、あるいは手がふさがっている場合等にも、容易にスナック菓子を食べることができるようにした食品容器を提供する。【解決手段】  内部に入れられた食品の取出口が上向きに開口する容器本体と、前記取出口内に配設される受皿体とを備えてなる食品容器であって、前記容器本体を、前記取出口が下向きとなるようにした後、元の姿勢に戻すことにより、前記容器本体の内部に入れられている食品の一部が切り出されて前記受皿体に保持された状態となることを特徴とする。【選択図】図１
2005096846.tif 000002
【特許請求の範囲】
【請求項１】
内部に入れられた食品の取出口が上向きに開口する容器本体と、
前記取出口内に配設される受皿体とを備えてなり、
前記容器本体を、前記取出口が下向きとなるようにした後、元の姿勢に戻すことにより、前記容器本体の内部に入れられている食品の一部が切り出されて前記受皿体に保持された状態となることを特徴とする食品容器。
【請求項２】
内部に入れられた食品の取出口が上向きに開口する容器本体と、
前記取出口内に配設される受皿体とを備えてなり、
前記受皿体は、上向きに開口する収容部を有しており、回転可能に支持されていることを特徴とする食品容器。
【請求項３】
前記受皿体は、前記収容部が常時上方を向くように重心位置が設定されていることを特徴とする請求項２に記載の食品容器。
【請求項４】
内部に入れられた食品の取出口が上向きに開口する容器本体と、
前記取出口内に配設される受皿体とを備えてなり、
前記受皿体は、下向きに開口する収容部を有しており、回転可能に支持されていることを特徴とする食品容器。
【請求項５】
前記受皿体は、前記収容部が常時下方を向くように重心位置が設定されていることを特徴とする請求項４に記載の食品容器。
【請求項６】
前記受皿体は、回転しないようにロック可能であることを特徴とする請求項２から５のいずれかに記載の食品容器。
【請求項７】
前記受皿体は、その外周縁部が前記取出口の内周面に沿うように形成されていることを特徴とする請求項２から６のいずれかに記載の食品容器。
【請求項８】
前記取出口には、前記受皿体の収容部が上方を向いた状態で前記受皿体の外周縁部を保持固定するロック部材が設けられていることを特徴とする請求項７に記載の食品容器。
【請求項９】
前記受皿体は、中空回転体の回転面が部分的に切除された形状を有してなり、切除された部位が前記収容部の開口であり、前記中空回転体の回転軸に相当する軸を中心として回転支持されることを特徴とする請求項２から８のいずれかに記載の食品容器。
【請求項１０】
内部に入れられた食品の取出口が上向きに開口する容器本体と、
前記取出口内に配設される受皿体とを備えてなり、
前記受皿体は、前記容器本体に固定されており、
前記受皿体と前記容器本体との間、あるいは前記受皿体に、食品を切り出すための切り出し穴が形成されていることを特徴とする食品容器。
【請求項１１】
前記収容部には、前記収容部における食品の収容量を制限する仕切板が取り外し可能に設けられていることを特徴とする請求項１から１０に記載の食品容器。
【請求項１２】
前記受皿体は、半球状であることを特徴とする請求項２から１１のいずれかに記載の食品容器。
【請求項１３】
前記容器本体は、前記取出口を上方から覆う開閉可能な蓋体を備えることを特徴とする請求項１から１２のいずれかに記載の食品容器。
【請求項１４】
前記容器本体は、前記受皿体の下方において、前記取出口よりも断面積が小さく絞られている絞り部を有することを特徴とする請求項１から１３のいずれかに記載の食品容器。
【請求項１５】
前記絞り部は、前記容器本体の内周壁から突出する環状フランジにより形成されることを特徴とする請求項１４に記載の食品容器。
【請求項１６】
前記環状フランジは、前記容器本体の外周壁を内方に凹ませることにより形成されることを特徴とする請求項１５に記載の食品容器。
【請求項１７】
前記容器本体は、上部が開口される有底筒状体であることを特徴とする請求項１から１６のいずれかに記載の食品容器。
【請求項１８】
前記容器本体及び／又は前記受皿体は、全部又は一部が透明であることを特徴とする請求項１から１７までのいずれかに記載の食品容器。
【請求項１９】
前記容器本体に、吊り下げ用のストラップが取り付けられていることを特徴とする請求項１から１８に記載の食品容器。
【発明の詳細な説明】
【技術分野】
【０００１】
本発明は、ポテトチップス等のスナック菓子が入れられる食品容器に関する。
【背景技術】
【０００２】
従来、ポテトチップス等のスナック菓子は、袋や筒状容器に充填包装された状態で販売されている（例えば、参考文献１参照）。上記のように包装されたスナック菓子を食べる場合、開封した袋や容器に手を突っ込んで指でつまみ出したり、開口部を下方に向けて流れ出てくる菓子を掌で受け止めたりすることが一般的に行われている。
【特許文献１】特開２００２−１０４３７２号公報
【発明の開示】
【発明が解決しようとする課題】
【０００３】
しかしながら、レジャーや仕事で手指が汚れている場合に、容器の中に手を突っ込んだり、スナック菓子を指でつまんだり、あるいは掌にのせたりすることには、衛生面から好ましくなく抵抗感がある。また、容器の中に手を突っ込んだりした際に、手の甲や衣服の袖にスナック菓子の調味料や油等が付着するおそれがあり、さらに書類を広げたり、パソコンを操作したりしている場合には、書類を汚損させたり、パソコンを故障させたりする心配がある。容器の開口部を下方に向けて、流れ出る菓子を口で直接受け止める食べ方もあるが、容器の傾け具合によっては、大量の菓子が一気に流れ出てこぼしてしまうことがある。
【０００４】
これに対して、筒状容器のキャップがカップ形状になっていて、容器内のスナック菓子をキャップに少量ずつ取出して、キャップに入ったスナック菓子を飲用するように直接口で食べるようにしたものも提案されているが、テーブル等の台がないアウトドアにおいて、飲料カップ等で片手がふさがっている場合には不便であり、キャップを地面に落として汚してしまうことも考えられる。
【０００５】
本発明は、斯かる実情に鑑み、スナック菓子等が入れられる食品容器について、容器の中に手を突っ込んだりする必要がなく、また、手指が汚れて不衛生になっている場合や、パソコン等を操作しており手指に菓子の調味料等を付着させたくない場合、あるいは片手がふさがっている場合等にも、容易にスナック菓子を食べることができるようにした食品容器を提供しようとするものである。
【課題を解決するための手段】
【０００６】
請求項１の発明は、内部に入れられた食品の取出口が上向きに開口する容器本体と、前記取出口内に配設される受皿体とを備えてなり、前記容器本体を、前記取出口が下向きとなるようにした後、元の姿勢に戻すことにより、前記容器本体の内部に入れられている食品の一部が切り出されて前記受皿体に保持された状態となることを特徴とする食品容器を提供する。
【０００７】
請求項２の発明は、内部に入れられた食品の取出口が上向きに開口する容器本体と、前記取出口内に配設される受皿体とを備えてなり、前記受皿体は、上向きに開口する収容部を有しており、回転可能に支持されていることを特徴とする食品容器を提供する。
【０００８】
請求項３の発明は、前記受皿体は、前記収容部が常時上方を向くように重心位置が設定されていることを特徴とする請求項２に記載の食品容器を提供する。
【０００９】
請求項４の発明は、内部に入れられた食品の取出口が上向きに開口する容器本体と、
前記取出口内に配設される受皿体とを備えてなり、前記受皿体は、下向きに開口する収容部を有しており、回転可能に支持されていることを特徴とする食品容器を提供する。
【００１０】
請求項５の発明は、前記受皿体は、前記収容部が常時下方を向くように重心位置が設定されていることを特徴とする請求項４に記載の食品容器を提供する。
【００１１】
請求項６の発明は、前記受皿体は、回転しないようにロック可能であることを特徴とする請求項２から５のいずれかに記載の食品容器を提供する。
【００１２】
請求項７の発明は、前記受皿体は、その外周縁部が前記取出口の内周面に沿うように形成されていることを特徴とする請求項２から６のいずれかに記載の食品容器を提供する。
【００１３】
請求項８の発明は、前記取出口には、前記受皿体の収容部が上方を向いた状態で前記受皿体の外周縁部を保持固定するロック部材が設けられていることを特徴とする請求項７に記載の食品容器を提供する。
【００１４】
請求項９の発明は、前記受皿体は、中空回転体の回転面が部分的に切除された形状を有してなり、切除された部位が前記収容部の開口であり、前記中空回転体の回転軸に相当する軸を中心として回転支持されることを特徴とする請求項２から８のいずれかに記載の食品容器を提供する。
【００１５】
請求項１０の発明は、内部に入れられた食品の取出口が上向きに開口する容器本体と、前記取出口内に配設される受皿体とを備えてなり、前記受皿体は、前記容器本体に固定されており、前記受皿体と前記容器本体との間、あるいは前記受皿体に、食品を切り出すための切り出し穴が形成されていることを特徴とする食品容器を提供する。
【００１６】
請求項１１の発明は、前記収容部には、前記収容部における食品の収容量を制限する仕切板が取り外し可能に設けられていることを特徴とする請求項１から１０に記載の食品容器を提供する。
【００１７】
請求項１２の発明は、前記受皿体は、半球状であることを特徴とする請求項２から１１のいずれかに記載の食品容器を提供する。
【００１８】
請求項１３の発明は、前記容器本体は、前記取出口を上方から覆う開閉可能な蓋体を備えることを特徴とする請求項１から１２のいずれかに記載の食品容器を提供する。
【００１９】
請求項１４の発明は、前記容器本体は、前記受皿体の下方において、前記取出口よりも断面積が小さく絞られている絞り部を有することを特徴とする請求項１から１３のいずれかに記載の食品容器を提供する。
【００２０】
請求項１５の発明は、前記絞り部は、前記容器本体の内周壁から突出する環状フランジにより形成されることを特徴とする請求項１４に記載の食品容器を提供する。
【００２１】
請求項１６の発明は、前記環状フランジは、前記容器本体の外周壁を内方に凹ませることにより形成されることを特徴とする請求項１５に記載の食品容器を提供する。
【００２２】
請求項１７の発明は、前記容器本体は、上部が開口される有底筒状体であることを特徴とする請求項１から１６のいずれかに記載の食品容器を提供する。
【００２３】
請求項１８の発明は、前記容器本体及び／又は前記受皿体は、全部又は一部が透明であることを特徴とする請求項１から１７までのいずれかに記載の食品容器を提供する。
【００２４】
請求項１９の発明は、前記容器本体に、吊り下げ用のストラップが取り付けられていることを特徴とする請求項１から１８に記載の食品容器を提供する。
【発明の効果】
【００２５】
本発明の請求項１に記載の食品容器によれば、容器本体を下向きにすることにより、容器本体の取出口内に配設されて上げ底となる受皿体に食品の一部を切り出す。したがって、容器から食品を取出す際に、容器の中に手を突っ込んだりする必要がなく、手や衣服の袖に食品の破片や調味料等が付着することを防止できるという効果を奏する。
【００２６】
請求項２に記載の食品容器によれば、収容部が取出口の内方に向くように受皿体を回転させて、容器本体を下向きとすることにより、上向きの収容部が内部の食品を受け止め、収容部の上向き姿勢を維持しながら容器本体を元の姿勢に戻すことで、上げ底となる受皿体に食品の一部を切り出すことができる。したがって、容器の中に手を突っ込んだりする必要がなく、手や衣服の袖に食品の破片や調味料等が付着することが防止できるという効果を奏する。
【００２７】
請求項３に記載の食品容器によれば、請求項２に記載の食品容器の奏する効果に加えて、以下の効果を奏する。受皿体は、収容部が常時上方を向くように重心位置が設定されているので、容器本体を下向きにしたときに、収容部が自動的に上向きとなって内部の食品を受け止め、そのまま容器本体を元の姿勢に戻すことにより、受皿体が上げ底となる。したがって、片手操作で食品を切り出すことができるものである。
【００２８】
請求項４に記載の食品容器によれば、受皿体が回転しないように、すなわち収容部が取出口の内方に向いた状態のままとなるように受皿体を保持して、容器本体を下向きとすることにより、上向きとなった収容部が内部の食品を受け止め、収容部の上向き姿勢を維持しながら容器本体を元の姿勢に戻すことで、上げ底となる受皿体に食品の一部を切り出すことができる。したがって、容器の中に手を突っ込んだりする必要がなく、手や衣服の袖に食品の破片や調味料等が付着することが防止できるという効果を奏する。
【００２９】
請求項５に記載の食品容器によれば、請求項４に記載の食品容器の奏する効果に加えて、以下の効果を奏する。受皿体は、収容部が常時下方を向くように重心位置が設定されているので、受皿体に食品が残されている状態で容器本体を上向きに置くと、収容部が自動的に下向きとなって、食品を容器本体内に戻すものである。したがって、食品容器を転倒させて、食品を飛散させてしまうおそれが少ないという効果を奏する。
【００３０】
請求項６に記載の食品容器によれば、請求項２から５のいずれかに記載の食品容器の奏する効果に加えて、以下の効果を奏する。受皿体を回転しないようにロックしながら容器を傾けることにより、受皿体に切り出された食品を飲料のように、スムーズに口に運ぶことができるものである。
【００３１】
請求項７に記載の食品容器によれば、請求項２から６のいずれかに記載の食品容器の奏する効果に加えて、以下の効果を奏する。受皿体の外周縁部が取出口の内周縁に沿うように形成されているので、容器本体の内部にゴミが入り込むことを防止できるものである。
【００３２】
請求項８に記載の食品容器によれば、請求項７に記載の食品容器の奏する効果に加えて、以下の効果を奏する。受皿体を、収容部が上方を向いた状態で保持固定させることにより、容器本体を傾けて受皿体に切り出された食品を飲料のように口に運ぶ際に、受皿体が不意に回転して、容器本体内部の食品がこぼれ出すことを確実に防止することができるものである。
【００３３】
請求項９に記載の食品容器によれば、請求項２から８のいずれかに記載の食品容器の奏する効果に加えて、以下の効果を奏する。回転体に設けられた切欠き部で食品を切り出すので、摩擦抵抗が少なく、スムーズに切り出すことが可能となるものである。
【００３４】
請求項１０に記載の食品容器によれば、容器本体を下向きとすることにより、受皿体と容器本体との間、あるいは受皿体自体に形成された切り出し穴から食品が受皿体の上方に流れ出て、容器本体を元の姿勢に戻すことで、上げ底となる受皿体に食品の一部を切り出すことができる。したがって、容器の中に手を突っ込んだりする必要がなく、手や衣服の袖に食品の破片や調味料等が付着することが防止できるという効果を奏する。
【００３５】
請求項１１に記載の食品容器によれば、請求項１から１０のいずれかに記載の食品容器の奏する効果に加えて、以下の効果を奏する。受皿体に、食品の収容量を制限する仕切板が取り外し可能に設けられているので、食品容器の使用場面に応じて、一度に切り出される食品の量を調節することができるものである。
【００３６】
請求項１２に記載の食品容器によれば、請求項２から１１のいずれかに記載の食品容器の奏する効果に加えて、以下の効果を奏する。受皿体が半球状であるので、摩擦抵抗が少なく、食品をスムーズに切り出すことができるとともに、切り出された食品を容器のいずれの方向からでも容易に取出すことができるものである。
【００３７】
請求項１３に記載の食品容器によれば、請求項１から１２のいずれかに記載の食品容器の奏する効果に加えて、以下の効果を奏する。容器本体に取出口を上方から覆う開閉可能な蓋を備えるので、容器本体を下向きにすることにより、上げ底となる受皿体に食品の一部を切り出す際に、食品が外にこぼれることを確実に防止することができるものである。
【００３８】
請求項１４に記載の食品容器によれば、請求項１から１３のいずれかに記載の食品容器の奏する効果に加えて、以下の効果を奏する。取出口よりも断面積が小さく絞られている絞り部が設けられているので、容器本体を下向きにしたときに、内部の食品全体が一気に落下して、食品が受皿体から溢れることや、受皿体の回転を妨げたりすることを防止できるものである。
【００３９】
請求項１５に記載の食品容器によれば、請求項１４に記載の食品容器の奏する効果に加えて、以下の効果を奏する。容器本体を下向きとしたときに、容器本体の内周壁から突出する環状フランジにより、食品の細かい破片が堰き止められて、外部にこぼれることを防止できるものである。
【００４０】
請求項１６に記載の食品容器によれば、請求項１５に記載の食品容器の奏する効果に加えて、以下の効果を奏する。環状フランジは、容器本体の外周壁において内方への凹みとなるため、容器を保持するための把持部となるものである。
【００４１】
請求項１７に記載の食品容器によれば、請求項１から１６のいずれかに記載の食品容器の奏する効果に加えて、以下の効果を奏する。容器本体が有底筒状体に形成されているので、容器本体を下向きにして内部の食品を切り出す際に、スムーズに食品が流れ出させることができるものである。
【００４２】
請求項１８に記載の食品容器によれば、請求項１から１７のいずれかに記載の食品容器の奏する効果に加えて、以下の効果を奏する。容器本体や受皿体が、透明に形成されていることにより、内部の様子を容易に確認することができるものである。
【００４３】
請求項１９に記載の食品容器によれば、請求項１から１８のいずれかに記載の食品容器の奏する効果に加えて、以下の効果を奏する。吊り下げ用のストラップが取り付けられているので、食品容器の置き場所がないようなところでも使用することができるものである。
【発明を実施するための最良の形態】
【００４４】
以下、本発明の実施の形態を、添付図面を参照しつつ説明する。
【００４５】
〔本発明の第１の実施形態〕
図１〜図４は、本発明の第１の実施形態を示し、図１は本実施形態に係る食品容器の組立斜視図、図２は食品容器の組立状態における斜視図、図３及び図４は食品容器の使用方法を説明する図である。
【００４６】
食品容器１は、スナック菓子等を入れておき、入れられたスナック菓子等を少しずつ取出すための容器であって、図１及び図２に示されるように、主として、中空筒状の容器本体２と、容器本体２に備えられる中空半球状の受皿体３と、同じく中空半球状の蓋体４とからなる。
【００４７】
容器本体２は、その上部が切断されて円形状に開口される有底円筒状体であって、内部を見通せるように透明プラスチックで形成されている。上部に形成される開口は、容器本体２の内部に入れられた食品ｆを取出すための取出口２１であって、取出口２１の上端周縁部２１ａには、受皿体３を回転可能に係合支持する２つの切欠き２ａが、取出口２１の直径方向で対向するように形成されている。また、上端周縁部２１ａの外周面側において、２つの切欠き２ａの周方向の中間部には、蓋体４を回動自在に支持する連結部２ｂが形成されている。
【００４８】
受皿体３は、容器本体２に入れられた食品ｆから、その一部を切り出して保持するために設けられており、容器本体２と同様に、内部が見通せるよう、透明なプラスチックで形成されている。受皿体３は、取出口２１の内径より僅かに小さい外径を有する中空球状体を、略半分に分割させた椀形状とされている。この椀形状の内面側は、切り出された食品ｆを収容する収容部３１であって、収容部３１の周縁部３１ａにおける外周面側には、２つの切欠き２ａにそれぞれ係合させられる２つの支持軸部３ａが直径方向で対向するように突出形成されている。受皿体３は、支持軸部３ａを切欠き２ａに係合させることにより、支持軸部３ａを中心として回転可能な状態で取出口２１内に支持されるが、受皿体３の重心位置の関係上、図２に示されるように、収容部３１は上方を向いた状態で停止する。収容部３１は、容器本体２を傾けても、重心位置の作用により、常時上方に向くように自動的に回転するものである。なお、ここで「常時上方を向くように」とは、容器本体２をいかなる方向に傾けても、収容部３１が必ず上方を向くことを表すものではなく、支持軸部３ａが収容部３１を上方に向かせ得る向きにあることが前提とされる。例えば、支持軸部３ａが鉛直方向に延びるように容器本体２が傾けられた場合には、当然ながら収容部３１は上方を向くことができないものであるが、これをもって「常時上方を向くように」なっていないとするものではない。
【００４９】
受皿体３は、取出口２１の内径より僅かに小さい外径を有するので、受皿体３の周縁部３１ａの外側、すなわち外周縁部は、図２に示されるように、取出口２１の内周面に沿うこととなり、容器本体２と受皿体３との間から、容器本体２の内部にゴミが入り込むことは防止される。なお、支持軸部３ａの一方には、容器本体２の外周面側に突出しており、その突出した先端には、小さい円板状のロック片３ｂが固着されている。
【００５０】
蓋体４は、受皿体３と同様に、中空球状体を略半分に分割させた椀形状をしており、容器本体２の取出口２１を開閉可能に上方から覆うことができるとともに受皿体３が収容できる大きさに形成されている。したがって、蓋体４を閉鎖した状態で、受皿体３を支持軸部３ａ回りに回転させても、受皿体３と蓋体４は干渉することがない。蓋体４の外周縁部４ａには、連結部２ｂと係合して蓋体４を開閉回動させる回動軸部４ｂが形成されている。なお、容器本体２と蓋体４の間には、蓋体４を閉鎖状態に維持するための嵌合部（不図示）が形成されており、回動軸部４ｂには、開放された蓋体４が閉鎖側へ不用意に回動しないように保持する保持部（不図示）が形成されている。
【００５１】
〔第１の実施形態に係る食品容器の使用方法〕
上述した食品容器１の使用方法について、図３を参照しながら説明する。
【００５２】
まず、容器本体２の内部に食品が充填された食品容器１を、図３（ａ）に示されるように、蓋体４を閉鎖した状態で取出口２１が下向きとなるように上下反転させることにより、容器内部に入れられている食品ｆを容器本体２の取出口２１側に流れ出させる。容器本体２は、筒状に形成されているので、スムーズに食品ｆを流れ出させることができる。取出口２１内に配設された受皿体３は、収容部３１が常時上方を向くように重心位置が設定されているため、容器本体２を下向きにしたときにも、受皿体３の収容部３１は、自動的に上向きとなって取出口２１側に流れ出る食品ｆを受け止めることとなる。なお、回転した受皿体３と容器本体２との間には隙間ｇを生じるが、蓋体４が閉鎖されているため、外部に食品ｆがこぼれ出る心配はない。
【００５３】
上記の状態から容器本体２を元の姿勢に戻す方向に回転させることにより、図３（ｂ）に示されるように、受け止められた食品ｆの一部が受皿体３の収容部３１に切り出されることとなる。なお、受皿体３は半球状であるので、食品ｆと受皿体３の外周面との間に大きな摩擦抵抗を生じることはない。また、蓋体４も受皿体３と同様に半球形状であって、その内面形状は受皿体３の回転軌跡に合わせた形状とされているので、両者の間に食品ｆが噛み込む心配は無い。
【００５４】
さらに、容器本体２を回転させて、図３（ｃ）に示されるように、完全に元の姿勢に戻すことにより上げ底となる受皿体３に食品ｆが保持されるものである。一点鎖線で示されるように、蓋体４を開放させれば、食品ｆを指先でつまんで取出すことができ、容器の中に奥深く手を突っ込んだりする必要がない。したがって、手の甲や衣服の袖に食品ｆの破片や調味料等が付着することが防止される。特に、受皿体３は、常時上向きとなるように自動的に回転するため、食品容器１を片手で操作する（上下反転させて元に戻す）だけで、食品ｆを受皿体３へ簡単に切り出すことができる。
【００５５】
上述のように受皿体３に切り出された食品ｆを、指先でつまんで口に運ぶこともできるが、ロック片３ｂを指で押さえて受皿体３が回転しないようにロックしながら容器本体２を把持し、図４に示されるように、容器本体２を傾けて、受皿体３に切り出された食品ｆを飲用するように、直接、かつ、スムーズに口に運ぶこともできる。特に、受皿体３は半球状であるから、切り出された食品ｆは収容部３１内で引っ掛ることなく、スムーズに流れ出させることができるものである。また、容器本体２の取出口２１は受皿体３により閉鎖されているので、容器本体２を大きく傾けても、容器内部の食品ｆまでこぼれ出てくることはない。以上により、手指が汚れている場合でも、衛生面を気にせずに食品ｆを食べることができ、広げた書類等やパソコン上に食品ｆをこぼすこともない。
【００５６】
なお、食品容器１の上方でゴミをこぼすようなことがあって受皿体３に切り出された食品ｆにゴミが混入した場合には、受皿体３をロック片３ｂでロックして容器本体２を上下反転させることにより、容器本体２内部の食品ｆを外部にこぼれ出させることなく、切り出された食品ｆのみを捨てることで対応することができる。
【００５７】
〔第１の実施形態の第１変形例〕
上記第１の実施形態では、容器本体２は単純な円筒形状に形成されていたが、図５に示されるように、受皿体３の下方において、容器本体２の外周壁を内方に凹ませることで、内周壁から突出する環状フランジ２２を形成し、取出口２１よりも断面積が小さく絞られている絞り部２ｃを設けることもできる。
【００５８】
絞り部２ｃを設けることにより、容器本体２を下向きにした際に取出口２１側に落下する食品ｆの量を制限することができるので、容器内部の食品ｆすべてが一気に落下して、食品ｆが受皿体３から溢れたり、受皿体３の回転を妨げたりすることが防止される。特に、絞り部２ｃは、環状フランジ２２で形成されているので、食品ｆに細かい破片ｂが含まれている場合でも環状フランジ２２で堰き止められて、破片ｂが取出口２１と受皿体３の隙間から外部にこぼれることが防止される。また、絞り部２ｃは、外周壁において内方への凹みとされているため、容器本体２を手で保持する際の把持部とすることができ、容器がブロー成形で形成される場合には容易に形成することができる。
【００５９】
〔第１の実施形態の第２変形例〕
上記第１の実施形態では、受皿体３は、中空回転体である球状体を略半分に分割した椀形状に形成されていたが、椀形状に限らず、図６に示されるように、収容部３１の周縁部にフランジ３ｃを設けたハット形状としても良い。フランジ３ｃを設けることにより、受皿体３は、剛性が向上し、単なる半球形状である場合と比べて撓み変形量を小さく抑えることができる。したがって、取出口２１と受皿体３の隙間をより狭く設定することができ、その隙間から容器本体２内部にゴミ等が入り込むことをより確実に実現することができる。
【００６０】
また、上記第１の実施形態では、受皿体３は、自らの形状に因る重心位置によって、収容部３１が上向きとなるように回転させられていたが、図６に示されるように、受皿体３の底部に重り３ｄを取付けるようにしても良い。これにより、収容部３１の深さが浅いものである場合であっても、受皿体３が、はずみ等で容易に転覆してしまうことが防止される。
【００６１】
さらに、上記第１変形例では、絞り部２ｃを、容器本体２の外周壁に凹みをつけて形成するようにしたが、容器本体２の内周壁に、容器本体２とは別に形成した環状のプレート２３を固定させて、絞り部２ｃを形成するようにしても良い。これにより、図６に示されるように、プレート２３を周縁部から絞り部２ｃとなる中心穴２３ｃに向けて下方に傾斜させたり、中心穴２３ｃの周囲に下方に延びる壁２３ｄを設けたりすることができるため、容器本体２を上下反転させたときに、食品ｆに混じる細かな破片があっても確実に堰き止めて、外部へのこぼれをより確実に防止できるものである。
【００６２】
〔第１の実施形態の第３変形例〕
上記第１の実施形態では、中空球状体を略半分に分割した形状の受皿体３を形成したが、球状体以外の中空回転体を半割にして受皿体を形成し、中空回転体の回転軸に相当する軸を中心として回転支持させるようにしても良い。例えば、図７に示される食品容器５のように、中空円錐体を半割した形状の受皿体７を採用しても良い。食品容器５は、三角柱形状の容器本体６と、容器本体６に備えられる半割円錐状の受皿体７と、半割円錐状の蓋体８とからなる。
【００６３】
容器本体６は、その上部が切断されて三角形状に開口する取出口６１を備える有底筒状体であって、透明プラスチックで形成される。取出口６１の上端周縁部６１ａには、受皿体７を回転可能に係合支持する切欠き６ａ、及び、蓋体８を回動自在に固定支持する連結部６ｂが形成されている。受皿体７は、透明プラスチックで中空円錐体を半割した形状に形成されており、取出口６１にほぼ隙間無く収まるサイズとなっている。受皿体７は、元の中空回転体の回転軸の位置に突出する支持軸部７ａを備えており、支持軸部７ａを切欠き６ａに係合させることにより、支持軸部７ａを中心として回転可能な状態で取出口６１内に支持される。なお、受皿体７の頂部側に設けられた支持軸部７ａの先端は、容器本体６に形成されたカバー６ｃにより覆われており、反対側の支持軸部７ａの先端には、ロック片７ｂが固着されている。蓋体８は、一体的に形成されたヒンジ片８ｂが連結部６ｂに差し込まれることにより固定支持され、取出口６１を開閉可能に上方から覆うが、受皿体７が支持軸部７ａ回りで回転しても干渉しない形状とされている。
【００６４】
食品容器５の使用方法は、上述した食品容器１と同様であって、蓋体８を閉鎖した状態で取出口６１が下向きとなるように上下反転した後、元の姿勢に戻すことにより、容器本体の６の内部に入れられている食品ｆの一部を受皿体７に切り出すことができ、また、切り出された食品ｆを指先でつまんだり、ロック片７ｂを指等で押さえて受皿体７が回転しないようにロックしながら容器本体６を傾けて食品ｆを直接口に流し込んだりすることができるものである。受皿体７に切り出された食品ｆを直接口に運ぶ場合には、受皿体７の頂部側から流し込むようにすることにより、食品ｆを下にこぼしたり、口の回りに付着させたりすることが防止される。なお、受皿体７の頂部に備えられる支持軸部７ａは、カバー６ｃで覆われることとなるので、支持軸部７ａの先端を口にぶつけてケガしたりすることが防止される。
【００６５】
〔第１の実施形態の第４変形例〕
上記第１の実施形態では、食品容器を使用者の身体に装着させるための装着具が設定されていなかったが、図１１に示されるように、吊り下げ用のストラップ９を新たに取り付けて、食品容器１を肩や首から吊り下げることができるようにしても良い。
【００６６】
ストラップ９は、紐状部９１の両端に、図１５（ａ）に示されるような固定具９２が固着されてなる。固定具９２は、板状の小片であって、表裏に貫通する軸受穴９２ａが形成されており、図１２（ａ）に示されるように、軸受穴９２ａに、容器本体２の外側面から突出する受皿体３の支持軸部３ａを挿通させることにより、容器本体２側に取り付けられる。固定具９２は、支持軸部３ａの先端部に固着されるロック片３ｂで支持軸部３ａから外れることがないように拘束される。なお、上記第１の実施形態では、ロック片３ｂは一方の支持軸部３ａに対してのみ取り付けられていたが、本変形例では、ロック片３ｂに固定具９２の抜け止めの機能を果たさせるため、２つの支持軸部３ａの双方に取り付けられている。
【００６７】
軸受穴９２ａは、図１５（ａ）に示されるように、支持軸部３ａよりも大径に形成されているので、固定具９２が受皿体３の動きを阻害することはない。また、軸受穴９２ａを支持軸部３ａより大径に形成することにより、紐状部９１が、図１２（ｂ）に２点鎖線で示されるように容器本体２に対して回動させることができ、取出口２１から食品を取り出す際、特に受皿体３から食品を飲用するようにする際の障害になることが防止される。なお、固定具９２に代えて、図１５（ｂ）に示される固定具９３を使用するようにしても良い。固定具９３の軸受穴９３ａには、切欠き９３ｂが形成されており、軸受穴９３ａに挿通された軸受部３ａを切欠き９３ｂから抜け出させることにより、ストラップ９を取り外し可能とするものである。逆に、切欠き９３ｂへ軸受部３ａを押し込むことにより、取り外したストラップ９を装着することも可能である。
【００６８】
ところで、上記第１の実施形態のように、支持軸部３ａを係合させる切欠き２ａが上方に向けて開放される直線状のものである場合に、容器本体２に対して受皿体３を上方から押し付けるだけで食品容器を組み立てることができ、自動組立にも適するものであるが、ストラップ９が装着されると、ストラップ９が強く引っ張られることにより、受皿体３が容器本体２から不意に外れてしまうおそれがある。そこで、ストラップ９を装着する場合には、切欠きを鉛直方向に延びる単なる直線状ではなく、図１４（ａ）に示されるようなＬ字型の切欠き２ｄを形成したり、図１４（ｂ）に示されるように斜め方向に延びる切欠き２ｅを形成したりすることにより、支持軸部３ａを外れ難くしておくことが好ましい。
【００６９】
なお、Ｌ字型の切欠き２ｄが形成された容器本体２に対して受皿体３を組み付ける場合には、切欠き２ｄの入口が横方向にオフセットしているため、収容部３１が上向き状態の状態で受皿体３が容器本体２の開口部に引っ掛かる。これに対しては、図１３（ａ）に示されるように、収容部３１が横向きとなるように受皿体３を立てた状態で、切欠き２ｄに支持軸部３ａを押し当てて受皿体３を下方移動した後、水平方向に移動させて、切欠き２ｄの終端部と支持軸部３ａを完全に係合させることにより引っ掛かりを回避することができる。ただし、容器本体２の内部に入れられる食品ｆと受皿体３が干渉しないようにするため、食品ｆの充填可能な量が少なくなる。
【００７０】
一方、斜め上方に開放する切欠き２ｅが形成された容器本体２に対して受皿体３を組み付ける場合には、図１３（ｂ）に示されるように、受皿体３を斜め方向に移動させる必要があるが、受皿体３の向きを変えずに組み付けることができるため、食品ｆの充填量が制限を受けることはないものである。
【００７１】
上記のように容器本体２にストラップ９を取り付けることにより、不使用時に肩等にぶら下げておくことができ、使用する際には容易に手元へ引き寄せることができる。したがって、スポーツ観戦等で周りに食品容器の置き場所がないような場合や、ハイキング等で移動している場合の取り扱いが楽になるものである。また、食品容器１に食品を充填した状態で販売する場合に、吊り下げた状態で陳列することができるものである。さらに、ストラップ９が支持軸部３ａに取り付けられているので、受皿体３に食品を切り出す際に、容器本体２をどの方向で傾ければよいかが容易に分かる。
【００７２】
〔第１の実施形態の第５変形例〕
上記実施形態では、受皿体３は、内部に収容できる食品ｆの量を変化させることができなかったが、図１６（ａ）（ｂ）に示されるように、収容部３１内に、収容部３１を仕切る複数枚の仕切板３１１，３１２，３１３を、相互に所定間隔をおいて平行に設けることにより、食品ｆの収容量を変化させることができる。仕切板３１１，３１２，３１３相互間の間隔および仕切板３１３と受皿体３の側壁面との間隔は、食品ｆの粒径よりも狭く設定されており、受皿体３で食品を切り出す際に、上記仕切板が設けられている部分には、食品が入り込まないようになっている。これにより、収容部３１における食品の収容量を制限することができるものである。
【００７３】
仕切板３１１，３１２，３１３は、受皿体３の内壁に対して所定の隙間ｓを空けて取り付けられており、両端の一部分のみが連結部３１１ａ，３１２ａ，３１３ａを介して、受皿体３と連結されている。これらの連結部は、仕切板を持って捩じるようにすることで容易に破断するように形成されている。これにより、仕切板を取り外して、受皿体３の食品収容量を変化させることができるものである。上記仕切板のすべてが取り付けられている状態では食品の収容量が最も少なく、仕切板３１１ａ，３１１ｂ，３１１ｃの順で取り外すことにより、収容量を増加させることができるものである。収容量を調整可能とすることにより、受皿体３に切り出される食品の量を、食品容器を使用する人の好みや一口で飲食できる食品の量に応じたものとすることができる。なお、食品ｆの粒径が非常に小さい場合には、仕切板の厚みを増加させたり、仕切板の上端部に横方向に突出する突出部を形成したりして、仕切板の間に食品ｆが入り込まないようにすることができる。
【００７４】
ところで、仕切板３１１，３１２，３１３は、受皿体３の上端縁部よりも低く設定されている。図１６（ｃ）に示されるように、受皿体３から食品ｆを飲用する場合に、仕切板の上端部が飲食者の鼻に接触することを避けるための逃げ部を設けるためである。ここでは、仕切板全体が同じ高さとなるように設定したが、仕切板に対して鼻が接近する中央部のみを低くするようにしても良い。
【００７５】
なお、上記第５変形例では、仕切板を単なる平板状のものとしたが、受皿体３の収容部３１の開口に着脱自在に嵌め込まれて収容部を外部から仕切る平板部と、平板部に形成されて切り出される食品の収容部となる凹部とからなる形状としても良い。図１７（ａ）は、そのような仕切板３１４，３１５を受皿体３に取り付けた状態を示したものであり、３１４ａ，３１５ａが平板部、３１４ｂ，３１５ｂが凹部に該当する。図１７（ｂ）は、仕切板３１４，３１５の組立図であり、３１４ｃは、上記第５変形例の説明で述べた飲食者の鼻と仕切板の接触を避けるための逃げ部である。
【００７６】
〔第１の実施形態のその他の変形例〕
第１の実施形態では、中空回転体（球状体）を半割状として受皿体を形成するようにしたが、必ずしも半割状にする必要はなく、中空回転体の回転面を部分的に切除するだけで収容部の開口を形成するようにしても良い。また、第１の実施形態では、蓋体４は、容器本体２にヒンジ固定されていたが、これに限らず、例えば、容器本体２の開口にねじ込んだり、嵌合させたりすることにより、脱着可能としても良い。この場合、取り外された蓋体を容器本体２の底部等に固定できるようにしておくことにより、蓋体を紛失したり、地面に落として汚したりすることを防止できる。
【００７７】
第１の実施形態では、容器本体２を把持する際にロック片３ｂを指で押さえることにより、受皿体３が回転しないようにロックしたが、蓋体４の開放に連動するロック機構で受皿体をロックするようにしても良い。これにより、食品ｆを受皿体３から直接口に流し込む場合の使用性を一層向上させることができ、また、蓋体４の開放時に、容器本体２を転倒させても、内部に入れられた食品ｆが外部に飛び出すことが無いものである。
【００７８】
受皿体３が回転しないようにロックする手段としては、蓋体４に連動するものの他、図１８（ａ）に示されるように、容器本体２の取出口２１の上端内周縁部に沿う鍔状のロック部材２ｆを設けるようにしても良い。ロック部材２ｆは、受皿体３の収容部が上方を向けられた状態で受皿体３の外周縁部を挟持することにより、受皿体３を容器本体２に保持固定するものである。図１８（ｂ）に示されるように、食品が飲用される位置に設けることにより、受皿体３の外周縁部が口に直接当たることが防止される。また、容器本体２を大きく傾けた場合でも、容器本体２と受皿体３の隙間から食品の細かい破片がロック部材２ｆによりせき止められて外部にこぼれることが防止される。
【００７９】
第１の実施形態では、容器内部の状態を見通して確認できるようにするため、容器本体２，６及び受皿体３，７の双方を透明プラスチックで形成することとしたが、いずれか一方のみを透明にするようにしても良く、容器本体や受皿体を別の材料で形成して、透明な覗き窓を設けるようにしても良い。また、外部光により食品ｆが劣化しやすいものである場合には、フィルム等で容器本体を覆っておき、容器を開封する際に覗き窓部分のフィルムを剥がすようにしておいても良い。
【００８０】
〔本発明の第２の実施形態〕
図８及び図９は、本発明の第２の実施形態を示し、図８は本実施形態に係る食品容器の斜視図、図９は食品容器の使用方法を示す図である。
【００８１】
食品容器１１は、スナック菓子等を入れて少しずつ取出すための容器であって、図８に示されるように、中空筒状の容器本体１２と、容器本体１２に備えられる受皿体１３と、
蓋体１４とからなる。第１の実施形態では、受皿体３が容器本体２に対して回転自在に支持されていたが、本実施形態では、受皿体１３が容器本体１２に対して動かないように固定されている点で大きく異なる。
【００８２】
容器本体１２は、上向きに開口する食品ｆの取出口１２１を有し、横断面が四角形状の有底筒状体であって、透明プラスチックで形成される。受皿体１３は、上向きに開口する収容部１３１を有する四角形状のトレイであって、そのうちの３辺１３ａ〜１３ｃが取出口１２１の内周面に沿わされた状態で固定されており、残りの１辺１３ｄと取出口１２１の内周面の間には、切り出し穴１２２となる隙間が設けられている。なお、受皿体１３に切り出された食品ｆが切り出し穴１２２から容器内部に落ちてしまうことがないように、辺１３ｄには、食品ｆの落下防止用の壁部１３２が形成されている。蓋体１４は、取出口１２１を上方から覆うようになっており、開閉可能な状態で容器本体１２に対してヒンジ固定されている。
【００８３】
〔第２の実施形態に係る食品容器の使用方法〕
上述した食品容器１１の使用方法について、図９を参照しながら説明する。まず、容器本体１２の内部に食品ｆが充填された食品容器１を、図９（ａ）に示されるように、蓋体１４を閉鎖した状態で取出口１２１が下向きとなるように上下反転させることにより、容器内部に入れられている食品ｆが、切り出し穴１２２から受皿体１３と蓋体１４の間に流れ込むこととなる。この状態から、容器本体１２を元の姿勢に戻す方向に回転させることにより、図９（ｂ）に示されるように、受皿体１３と蓋体１４の間に流れ込んだ食品ｆがそのまま残ることとなる。
【００８４】
さらに、容器本体１２を回転させて、図９（ｃ）に示されるように、完全に元の姿勢に戻すことにより受皿体１３に食品ｆが切り出されて保持されるものである。一点鎖線で示されるように、蓋体１４を開放させれば、食品ｆを指先でつまんで取出すことができ、容器の中に奥深く手を突っ込んだりする必要がない。容器本体１２を辺１３ａ側に傾ければ、受皿体３に切り出された食品ｆを飲用するように、直接、かつ、スムーズに口に運ぶこともできる。取出口１２１は、切り出し穴１２２の部分を除いて受皿体１３により閉鎖されているので、容器本体１２を傾けても、容器内部の食品ｆまでこぼれ出てくることはない。以上により、手指が汚れている場合でも、衛生面を気にせずに食品ｆを食べることができて、机の上に広げた書類等やパソコンの上に食品ｆをこぼすこともない。
【００８５】
〔第２の実施形態の第１変形例〕
上記第２の実施形態の第１変形例を、図１０に示す。第２の実施形態では、食品容器１１は四角柱状に形成されていたが、食品容器１５のように三角柱状に形成しても良い。食品容器１５は、三角柱状の容器本体１６と、容器本体１６の取出口１６１の内部に切り出し穴１６２が形成されるように固定される受皿体１７と、取出口１６１を上方から覆う蓋体１８とを有してなる。取出口の容器本体１６の取出口１６１において狭められた三角形の頂部ａ側から食品ｆを直接、口に流し込むようにすることにより、食品ｆを下にこぼしたり、口の回りに付着させたりすることなく食べることができるものである。
【００８６】
また、第２の実施形態の食品容器１１では受皿体１３が平坦状に形成されていたが、この食品容器１５では、頂部ａ側に傾斜部１７ａが形成されている。これにより、容器本体１６を頂部ａ側に傾けて切り出された食品ｆを飲用するようにして口に運ぶ場合、食品ｆをよりスムーズに排出させることができるものである。また、受皿体１７の壁部１７１を下方に突出するように延長させて壁部１７２を形成することにより、食品ｆに含まれる破片ｂが受皿体１７側に切り出されないようにすることができる。
【００８７】
〔第２の実施形態のその他の変形例〕
上記第２の実施形態では、容器本体１２と受皿体１３の間に切り出し穴１２２となる隙間を形成するようにしたが、受皿体を容器本体との間に隙間を設けることなく固定して、受皿体に切り出し穴となる貫通穴を形成するようにしても良い。
【００８８】
〔本発明の第３の実施形態〕
図１９及び図２０は、本発明の第３の実施形態を示し、図１９は本実施形態に係る食品容器の斜視図、図２０は食品容器の一部断面を示す図である。
【００８９】
食品容器１１１は、スナック菓子等を入れて少しずつ取出すための容器であって、図１９に示されるように、中空筒状の容器本体１１２と、容器本体１１２に備えられる中空半球状の受皿体１１３とからなる。本実施形態では、第１実施形態と同様に、受皿体１１３が容器本体１１２に対して回転自在に支持されているが、本実施形態では、受皿体１１３の重心位置を設定する重り部１１３ｄが設けられており、受皿体１１３の収容部１１３ａが常時下方を向くように構成されている点で異なる。
【００９０】
容器本体１１２は、上向きに開口する食品ｆの取出口１１２ｘを有し、横断面が円形状の有底筒状体であって、内部を見通せるように透明プラスチックで形成される。上部に形成される開口は、容器本体１１２の内部に入れられた食品を取出すための取出口１１２ｘであって、取出口１１２ｘの上端周縁部には、受皿体１１３を回転可能に係合支持する２つの切欠き１１２ａが、取出口１２１ｘの直径方向で対向するように形成されている。また、取出口１１２ｘの上端周縁部には、受皿体３の外周縁部を挟持するようにロックする鍔状のロック部材１１２ｆが形成されている。
【００９１】
受皿体１１３は、容器本体１１２に入れられた食品ｆから、その一部を切り出して保持するために設けられており、容器本体１１２と同様に、内部が見通せるよう、透明なプラスチックで形成されている。受皿体１１３は、取出口２１の内径より僅かに小さい外径を有する中空球状体を、略半分に分割させた椀形状に、耳状に延長された重り１１３ｄが形成されている。この椀形状の内面側は、切り出された食品ｆを収容する収容部１１３ｘであって、収容部１１３ｘの周縁部における外周面側には、２つの切欠き１１２ａにそれぞれ係合させられる２つの支持軸部１１３ａが直径方向で対向するように突出形成されている。
【００９２】
受皿体３は、支持軸部１１３ａを切欠き１１２ａに係合させることにより、支持軸部１１３ａを中心として回転可能な状態で取出口１１２ｘ内に支持されるが、受皿体３の重心位置の関係上、図１９（ｂ）に示されるように、収容部１１３ｘは下方を向いた状態で停止する。収容部１１３ｘは、容器本体１１２を傾けても、重心位置の作用により、常時下方に向くように自動的に回転するものである。なお、ここで「常時下方を向くように」とは、容器本体１１２をいかなる方向に傾けても、収容部１１３ｘが必ず下方を向くことを表すものではなく、支持軸部１１３ａが収容部１１３ｘを下方に向かせ得る向きにあることが前提とされる。例えば、支持軸部１１３ａが鉛直方向に延びるように容器本体１１２が傾けられた場合には、当然ながら収容部１１３ｘは上方を向くことができないものであるが、これをもって「常時下方を向くように」なっていないとするものではない。
【００９３】
受皿体１１３は、取出口１１２ｘの内径より僅かに小さい外径を有するので、受皿体１１３の外周縁部は、図２０（ａ）に示されるように、取出口１１２ｘの内周面に沿うこととなり、容器本体２と受皿体３との間から、容器本体２の内部にゴミが入り込むことは防止される。なお、支持軸部１１３ａは、容器本体１１２の外周面側に突出しており、その突出した先端には、小さい円板状のロック片１１３ｂが固着されている。また、受皿体１１３の外周縁部には、収容部１１３ｘが下向きとなった状態において、ロック部材１１３ｘとの干渉を避けるための切欠き１１３ｃが形成されている。
【００９４】
〔第３の実施形態に係る食品容器の使用方法〕
上述した食品容器１１１から、容器本体１１２の内部に入れられた食品を取り出す場合には、まず、下方を向いた状態の受皿体１１３をロックしながら、取出口１１２ｘが下向きとなるように上下反転させることにより、容器内部に入れられている食品ｆが受皿体１１３の収容部１１３ｘに流れ込むこととなる。このとき、収容部１１３ｘは上方を向いているので、ロック片１１３ｂを抑えながら、容器本体１１２のみを元の姿勢に戻す方向に回転させることにより、受皿体１１３に流れ込んだ食品ｆがそのまま残って切り出されることとなるものである。そして、受皿体１１３をロック部材１１２ｆに挟持させることにより、図２０（ｂ）に示されるように、受皿体１１３は上向きのままに維持される。
【図面の簡単な説明】
【００９５】
【図１】第１の実施形態に係る食品容器の組立斜視図。
【図２】第１の実施形態に係る食品容器の斜視図。
【図３】第１の実施形態に係る食品容器で受皿体に食品を切り出す様子の説明図。
【図４】第１の実施形態に係る食品容器で食品を口に運ぶ様子の説明図。
【図５】第１の実施形態の第１変形例に係る食品容器で受皿体に食品を切り出す様子を示す説明図。
【図６】第１の実施形態の第２変形例に係る食品容器の組立斜視図。
【図７】第１の実施形態の第３変形例に係る食品容器の組立斜視図。
【図８】第２の実施形態に係る食品容器の斜視図。
【図９】第２の実施形態に係る食品容器で受皿体に食品を切り出す様子を示す説明図。
【図１０】第２の実施形態の第１変形例に係る食品容器の斜視図。
【図１１】第１の実施形態の第４変形例に係る食品容器の斜視図。
【図１２】（ａ）は、図１１のＡ−Ａ断面図。（ｂ）は、図１１のＢ視図。
【図１３】第１の実施形態の第４変形例に係る食品容器を組み立てるときの状態を説明する図。
【図１４】第１の実施形態の第４変形例に係る食品容器の切欠きの拡大図。
【図１５】第１の実施形態の第４変形例に係る食品容器のストラップの固定具を示す図。
【図１６】第１の実施形態の第５変形例を示す図。（ｂ）は（ａ）のＣ−Ｃ断面図。
【図１７】第１の実施形態の第５変形例の更なる変形例を示す図。（ｂ）は（ａ）のＤ−Ｄ断面図。
【図１８】第１の実施形態の別の変形例を示す図。
【図１９】第３の実施形態に係る食品容器を示す図。（ａ）は、食品容器を組み立てるときの状態を示す図。（ｂ）は、組み立てられた状態を示す図。
【図２０】（ａ）は、図１９のＥ−Ｅ断面図。（ｂ）は（ａ）に対応する図で、受皿体が上下反転した状態でロック部材によりロックされた状態を示す図。（ｃ）は、図１９のＦ−Ｆ断面図。
【符号の説明】
【００９６】
１    食品容器
２    容器本体
２１    取出口
３    受皿体
３１    収容部
４    蓋体
５    食品容器
６    容器本体
６１    取出口
７    受皿体
８    蓋体
１１    食品容器
１２    容器本体
１３    受皿体
１４    蓋体
１５    食品容器
１６    容器本体
１７    受皿体
１８    蓋体
ｆ    食品
ｂ    破片（食品）
【図１】
2005096846.tif 000003
【図２】
2005096846.tif 000004
【図３】
2005096846.tif 000005
【図４】
2005096846.tif 000006
【図５】
2005096846.tif 000007
【図６】
2005096846.tif 000008
【図７】
2005096846.tif 000009
【図８】
2005096846.tif 000010
【図９】
2005096846.tif 000011
【図１０】
2005096846.tif 000012
【図１１】
2005096846.tif 000013
【図１２】
2005096846.tif 000014
【図１３】
2005096846.tif 000015
【図１４】
2005096846.tif 000016
【図１５】
2005096846.tif 000017
【図１６】
2005096846.tif 000018
【図１７】
2005096846.tif 000019
【図１８】
2005096846.tif 000020
【図１９】
2005096846.tif 000021
【図２０】
2005096846.tif 000022